(57)【要約】【課題】  耐震と断熱を同時に行うことで、施工性向上、断熱欠損の解消、コスト削減を実現でき、しかも外観上の体裁がよくなるように建物の外壁面に張ることができる構造断熱材を提供する。【解決手段】  構造用面材３と外側断熱材４とが一体化された構造断熱材本体６を備え、構造用面材３の外周部が取付部１１とされ、構造用面材３の取付部１１に貼り付けられる補充用断熱材８が具備された構造断熱材であって、外側断熱材４の外周部に、取付部１１に向けて階段状に薄くなった階段状接合部１７が形成され、補充用断熱材８の幅方向の両端部に、外側断熱材４の階段状接合部１７に対応して階段状接合部１９が形成され、外側断熱材４の階段状接合部１７と補充用断熱材８の階段状接合部１９とを接合させて、外側断熱材４と補充用断熱材８とで構造用面材３の外面全体を覆うように構成した。【選択図】図２
0003173837.tif 000002
【実用新案登録請求の範囲】
【請求項１】
耐震性を高めるために建物の外壁面に張る構造用面材（３）と構造用面材（３）の外面に配置される外側断熱材（４）とが一体化された構造断熱材本体（６）を備え、構造用面材（３）の外周部が外側断熱材（４）よりも外方に突出された取付部（１１）とされ、隣合う構造断熱材本体（６）の外側断熱材（４）間を塞ぐべく構造用面材（３）の取付部（１１）に貼り付けられる補充用断熱材（８）が具備された構造断熱材であって、
外側断熱材（４）の外周部に、取付部（１１）に向けて階段状に薄くなった階段状接合部（１７）が形成され、補充用断熱材（８）の幅方向の両端部に、外側断熱材（４）の階段状接合部（１７）に対応して幅方向内方に行くに従って内外方向の内側に向けて階段状に厚くなった階段状接合部（１９）が形成され、外側断熱材（４）の階段状接合部（１７）と補充用断熱材（８）の階段状接合部（１９）とを接合させて、外側断熱材（４）と補充用断熱材（８）とで構造用面材（３）の外面全体を覆うように構成したことを特徴とする構造断熱材。
【請求項２】
前記外側断熱材（４）の階段状接合部（１７）は、２段の階段状に形成されると共に外側断熱材（４）の外周部の全周に亘って形成され、補充用断熱材（８）の階段状接合部（１９）は、外側断熱材（４）の階段状接合部（１７）に対応する２段の階段状に形成されていることを特徴とする請求項１に記載の構造断熱材。
【請求項３】
構造用面材（３）は長方形の板状に形成され、外側断熱材（４）は構造用面材（３）よりも小さい長方形の板状に形成されて、構造用面材（３）の外面にその外周部を残して重合して接着されていることを特徴とする請求項１又は２に記載の構造断熱材。
【請求項４】
前記補充用断熱材（８）には、構造断熱材本体（６）の左右に配置される第１補充用断熱材（８ａ）と構造断熱材本体（６）の上下に配置される第２補充用断熱材（８ｂ）との２種類があって、これらは互いに異なる長さに形成されていることを特徴とする請求項３に記載の構造断熱材。
【請求項５】
第１補充用断熱材（８ａ）は上下方向に長い板状に形成されてその左右両端部の上下全長に亘って階段状接合部（１９）が形成され、左右に隣合う構造断熱材本体（６）の外側断熱材（４）間を塞ぐように構成されていることを特徴とする請求項４に記載の構造断熱材。
【請求項６】
第２補充用断熱材（８ｂ）は、左右方向に長い板状に形成されてその上下両端部に左右全長に亘って階段状接合部（１９）が形成され、上下に隣合う構造断熱材本体（６）の外側断熱材（４）間を塞ぐように構成されていることを特徴とする請求項４又は５に記載の構造断熱材。
【請求項７】
前記構造用面材（３）の中央側に、外側断熱材（４）が欠落された中央側取付部（２３）が設けられ、構造断熱材本体（６）の外側断熱材（４）が欠落された部分（Ａ）を充填すべく構造用面材（３）の中央側取付部（２３）に貼り付けられる充填用断熱材（２６）が具備されていることを特徴とする請求項１〜６のいずれかに記載の構造断熱材。
【請求項８】
外側断熱材（４）の欠落端部に、中央側取付部（２３）に向けて階段状に薄くなった階段状接合部（２７）が形成され、充填用断熱材（２６）の端部に、外側断熱材（４）の階段状接合部（２７）に対応して内外方向の内側に向けて階段状に厚くなった階段状接合部（２９）が形成され、外側断熱材（４）の階段状接合部（２７）と充填用断熱材（２６）の階段状接合部（２９）とを接合させて、外側断熱材（４）の欠落された部分（Ａ）を充填用断熱材（２６）で充填するようにしたことを特徴とする請求項７に記載の構造断熱材。
【考案の詳細な説明】
【技術分野】
【０００１】
本考案は、建物の外壁面に張られる構造断熱材に関するものである。
【背景技術】
【０００２】
建物の外壁面に張られる構造断熱材には、構造物に加わる過重を受けるために建物の外壁面に張る構造用面材と構造用面材の外面に配置される外側断熱材とが一体化されたものがある。この種の従来の構造断熱材は構造用面材の外面全域に亘って外側断熱材が接着されていた（例えば特許文献１）。
また、建物の外壁面に張られる断熱ボードとして、長方形の基材と基材の外面に配置される外側断熱材とが一体化された断熱ボード本体を備え、基材の外面にその外周部を残して外側断熱材が接着され、基材の外周部が外側断熱材よりも外方に突出された取付部とされ、この取付部を利用して断熱ボード本体を釘や止めビス等の固定具で建物の柱梁等の構造材に固定するようにしたものがある。この種の従来の断熱ボードでは、隣合う断熱ボード本体の外側断熱材間を塞ぐべく基材の取付部に接着される補充用断熱材が具備されていた（例えば特許文献２）。
【先行技術文献】
【特許文献】
【０００３】
【特許文献１】特開２０１０−１８９８８９号公報
【特許文献２】特開平１１−１０７３９７号公報
【考案の概要】
【考案が解決しようとする課題】
【０００４】
しかし、前者の従来のものでは、構造用面材の外面全域に亘って外側断熱材が接着されていたので、構造断熱材を建物の外壁面に張るために、構造断熱材の外周部を釘や止めビス等の固定具で柱梁等の構造材に固定すると、釘や止めビス等の固定具が外部に露出してしまい外観上の体裁が悪くなったり、固定具が腐食しやすくなるという問題があった。また、構造断熱材の外周部を柱梁等の構造材に固定する際に、外側断熱材の外周部を破損してしまうこともあった。
後者の従来のものでは、外側断熱材及び補充用断熱材は単に長方形の板状に形成されていたため、断熱ボード本体の基材の取付部に補充用断熱材を接着した場合に、製造誤差等によって、外側断熱材と補充用断熱材との間に隙間が生じて、断熱効果が損なわれるし、隙間によって外観上の体裁が悪くなるという問題があった。また後者のものは防火材としての断熱ボードであり、建物の耐震性を高めるような機能は小さいものであった。
本考案は上記問題点に鑑み、断熱効果が損なわれることなくしかも外観上の体裁がよくなるように建物の外壁面に張ることができる構造断熱材を提供することを目的とする。
【課題を解決するための手段】
【０００５】
本考案における課題解決のための具体的手段は、次の通りである。
この技術的課題を解決する本考案の技術的手段は、耐震性を高めるために建物の外壁面に張る構造用面材３と構造用面材３の外面に配置される外側断熱材４とが一体化された構造断熱材本体６を備え、構造用面材３の外周部が外側断熱材４よりも外方に突出された取付部１１とされ、隣合う構造断熱材本体６の外側断熱材４間を塞ぐべく構造用面材３の取付部１１に貼り付けられる補充用断熱材８が具備された構造断熱材であって、
外側断熱材４の外周部に、取付部１１に向けて階段状に薄くなった階段状接合部１７が形成され、補充用断熱材８の幅方向の両端部に、外側断熱材４の階段状接合部１７に対応して幅方向内方に行くに従って内外方向の内側に向けて階段状に厚くなった階段状接合部１９が形成され、外側断熱材４の階段状接合部１７と補充用断熱材８の階段状接合部１９とを接合させて、外側断熱材４と補充用断熱材８とで構造用面材３の外面全体を覆うように構成した点にある。
また、本考案の他の技術的手段は、前記外側断熱材４の階段状接合部１７は、２段の階段状に形成されると共に外側断熱材４の外周部の全周に亘って形成され、補充用断熱材８の階段状接合部１９は、外側断熱材４の階段状接合部１７に対応する２段の階段状に形成されている点にある。
また、本考案の他の技術的手段は、構造用面材３は長方形の板状に形成され、外側断熱材４は構造用面材３よりも小さい長方形の板状に形成されて、構造用面材３の外面にその外周部を残して重合して接着されている点にある。
また、本考案の他の技術的手段は、前記補充用断熱材８には、構造断熱材本体６の左右に配置される第１補充用断熱材８ａと構造断熱材本体６の上下に配置される第２補充用断熱材８ｂとの２種類があって、これらは互いに異なる長さに形成されている点にある。
また、本考案の他の技術的手段は、第１補充用断熱材８ａは上下方向に長い板状に形成されてその左右両端部の上下全長に亘って階段状接合部１９が形成され、左右に隣合う構造断熱材本体６の外側断熱材４間を塞ぐように構成されている点にある。
また、本考案の他の技術的手段は、第２補充用断熱材８ｂは、左右方向に長い板状に形成されてその上下両端部に左右全長に亘って階段状接合部１９が形成され、上下に隣合う構造断熱材本体６の外側断熱材４間を塞ぐように構成されている点にある。
また、本考案の他の技術的手段は、前記構造用面材３の中央側に、外側断熱材４が欠落された中央側取付部２３が設けられ、構造断熱材本体６の外側断熱材４が欠落された部分Ａを充填すべく構造用面材３の中央側取付部２３に貼り付けられる充填用断熱材２６が具備されている点にある。
また、本考案の他の技術的手段は、外側断熱材４の欠落端部に、中央側取付部２３に向けて階段状に薄くなった階段状接合部２７が形成され、充填用断熱材２６の端部に、外側断熱材４の階段状接合部２７に対応して内外方向の内側に向けて階段状に厚くなった階段状接合部２９が形成され、外側断熱材４の階段状接合部２７と充填用断熱材２６の階段状接合部２９とを接合させて、外側断熱材４の欠落された部分Ａを充填用断熱材２６で充填するようにした点にある。
【考案の効果】
【０００６】
本考案によれば、構造用面材の外周部が外側断熱材よりも外方に突出された取付部とされているので、この取付部を利用して構造断熱材本体を建物の柱梁等の構造材に釘や止めビス等の固定具で簡単確実に固定することができ、構造断熱材本体を取付ける際に、外側断熱材を破損することもなくなる。また、耐震と断熱を同時に行うことで、施工性向上、断熱欠損の解消、コスト削減を実現できる。
また、建物の外壁面に構造断熱材本体を張り付けた状態で、外側から補充用断熱材を構造用面材の取付部に重合させると共に、補充用断熱材の階段状接合部を外側断熱材の階段状接合部に重合させるように、外側から補充用断熱材を隣合う外側断熱材の間に簡単に配置することができて、補充用断熱材を構造用面材の取付部に容易に貼り付けることができる。
この場合に、外側断熱材の階段状接合部と補充用断熱材の階段状接合部とを所定の幅で重合させた状態で接合して、隣合う構造断熱材本体の外側断熱材間を補充用断熱材で確実に塞ぐことができ、外側断熱材と補充用断熱材との間に隙間が生じて断熱効果が損なわれるのを防ぐことができる。
また、取付部の固定に使用した釘や止めビス等の固定具は補充用断熱材で塞がれて外部に露出することがなくなり、外観上の体裁がよくなると共に、釘や止めビス等の固定具が腐食するのを防止できる。また、構造断熱材は建物の外壁面に張る構造用面材を有しているので、構造用面材によって耐震性を高めることができる。
【図面の簡単な説明】
【０００７】
【図１】本考案の第１実施形態を示す構造断熱材の正面図である。
【図２】同構造断熱材本体を建物の外壁面に張り付けた状態の平面断面図である。
【図３】同構造断熱材の側面断面図である。
【図４】同複数の構造断熱材を建物の外壁面に張り付けた状態の正面図である。
【図５】本考案の第２実施形態を示す構造断熱材の正面図である。
【図６】同構造断熱材本体を建物の外壁面に張り付けた状態の平面断面図である。
【考案を実施するための形態】
【０００８】
以下、本考案の実施の形態を図面に基づいて説明する。
図１〜図４は本考案の第１実施形態を示している。図１〜図４において、構造断熱材１は、耐震性を高めるために建物の外壁面に張る構造用面材３と構造用面材３の外面に配置される外側断熱材４とが一体化された構造断熱材本体６を備え、隣合う構造断熱材本体６の外側断熱材４間を塞ぐ補充用断熱材８が具備されている。
構造用面材３は構造用合板、木質繊維板、木毛セメント板、セラミック板、粘土鉱物板、無垢木板などで構成され、長方形の板状に形成されている。
構造用面材３の外周部が外側断熱材４よりも外方に突出された取付部１１とされている。この取付部１１は構造用面材３の外周端から１００ｍｍ〜１５０ｍｍの幅に形成され、構造断熱材本体６は取付部１１を利用して釘や止めビス等の固定具１３で建物の柱梁１５等の構造物に打ち付けて固定される。
外側断熱材４は、木質繊維断熱材、鉱物繊維断熱材、ガラス繊維断熱材、ビーズ法ポリスチレン断熱材、押し出しポリスチレン断熱材、硬質ウレタン断熱材などによって構成され、構造用面材３よりも小さい長方形の板状に形成されている。外側断熱材４は構造用面材３の外面にその外周部を残して重合して接着されている。外側断熱材４と構造用面材３との接着方法は素材に応じてビス止め方式、接着剤方式、圧着方式などが使用される。
外側断熱材４の外周部に、取付部１１に向けて階段状に薄くなった階段状接合部１７が形成されている。外側断熱材４の階段状接合部１７は２段の階段状に形成され、階段状接合部１７は外側断熱材４の外周部の全周に亘って形成されている。
補充用断熱材８は、外側断熱材４と同様に木質繊維断熱材、鉱物繊維断熱材、ガラス繊維断熱材、ビーズ法ポリスチレン断熱材、押し出しポリスチレン断熱材、硬質ウレタン断熱材などによって構成され、隣合う構造断熱材本体６の外側断熱材４間を塞ぐべく構造用面材３の取付部１１に貼り付けられる。
補充用断熱材８の幅方向の両端部に、外側断熱材４の階段状接合部１７に対応して幅方向内方に行くに従って内外方向の内側に向けて階段状に厚くなった階段状接合部１９が形成されている。
補充用断熱材８の階段状接合部１９は、外側断熱材４の階段状接合部１７に対応する２段の階段状に形成されている。外側断熱材４の階段状接合部１７と補充用断熱材８の階段状接合部１９とを接合させて、外側断熱材４と補充用断熱材８とで構造用面材３の外面全体を覆うように構成されている。
前記補充用断熱材８には、構造断熱材本体６の左右に配置される第１補充用断熱材８ａと構造断熱材本体６の上下に配置される第２補充用断熱材８ｂとの２種類があって、これらは互いに異なる長さに形成されている。
第１補充用断熱材８ａは、２００ｍｍ〜３００ｍｍの幅の上下方向に長い板状に形成され、内外方向の厚みが外側断熱材４の厚みと同一に形成されて、その左右両端部の上下全長に亘って階段状接合部１９が形成され、左右に隣合う構造断熱材本体６の外側断熱材４間を塞ぐように構成されている。
第２補充用断熱材８ｂは、２００ｍｍ〜３００ｍｍの幅の左右方向に長い板状に形成され、内外方向の厚みが外側断熱材４の厚みと同一に形成されて、その上下両端部に左右全長に亘って階段状接合部１９が形成され、上下に隣合う構造断熱材本体６の外側断熱材４間を塞ぐように構成されている。
上記第１実施形態によれば、建物の外壁面に構造断熱材１を張り付ける場合、図４に示すように、建物の外壁面に外側断熱材４を内外方向の外側に向けた状態で複数の構造断熱材本体６を縦横に並べて配置し、構造用面材３の取付部１１を利用して構造断熱材本体６を建物の柱梁１５に釘や止めビス等の固定具１３で固定し、その後、左右に隣合う構造断熱材本体６の外側断熱材４間を塞ぐように第１補充用断熱材８ａを構造用面材３の取付部１１に貼り付けると共に、上下に隣合う構造断熱材本体６の外側断熱材４間を塞ぐように第２補充用断熱材８ｂを構造用面材３の取付部１１に貼り付ければよく、これにより、外側断熱材４の外面と第１補充用断熱材８ａの外面と第２補充用断熱材８ｂの外面とが面一になり、縦横に並んだ構造断熱材本体６の構造用面材３の外面全体が外側断熱材４と補充用断熱材８とで覆われた状態になる。
上記の如く構造断熱材１を建物の外壁面に張り付ける際に、構造用面材３の外周部が外側断熱材４よりも外方に突出された取付部１１とされているので、この取付部１１を利用して構造断熱材本体６を建物の柱梁１５等の構造材に釘や止めビス等の固定具１３で簡単確実に固定することができ、構造断熱材本体６を固定具１３で固定する際に外側断熱材４を破損することもなくなる。
また、建物の外壁面に構造断熱材本体６を張り付けた状態で、外側から補充用断熱材８を構造用面材３の取付部１１に重合させると共に、補充用断熱材８の階段状接合部１７を外側断熱材４の階段状接合部１７に重合させるように、内外方向の外側から補充用断熱材８を隣合う外側断熱材４の間に簡単に配置することができて、補充用断熱材８を構造用面材３の取付部１１に容易に貼り付けることができる。
この場合に、外側断熱材４の階段状接合部１７と補充用断熱材８の階段状接合部１７とを所定の幅で重合させた状態で接合して、隣合う構造断熱材本体６の外側断熱材４間を補充用断熱材８で確実に塞ぐことができ、外側断熱材４と補充用断熱材８との間に隙間が生じて断熱効果が損なわれるのを防ぐことができる。
また、取付部１１の固体に使用した釘や止めビス等の固定具１３は補充用断熱材８で塞がれて外部に露出することがなくなり、外観上の体裁がよくなると共に、釘や止めビス等の固定具１３が腐食するのを防止できる。また、構造断熱材１は建物の外壁面に張る構造用面材３を有しているので、構造用面材３によって耐震性を高めることができる。
図５及び図６は第２実施形態を示している。図５及び図６において、構造用面材３の左右中央側に、外側断熱材４が欠落された中央側取付部２３が設けられている。即ち、構造断熱材本体６の構造用面材３の外面に配置される外側断熱材４は、左右に分割されて互いに左右に離間して配置され、その分割された左右の外側断熱材４が構造用面材３の外面にそれぞれ重合して接着され、これにより、構造断熱材本体６の左右中央側（左右の外側断熱材４間）に外側断熱材４が欠落された部分Ａが形成されている。
そして、欠落された部分Ａに対応する構造用面材３の左右中央側が中央側取付部２３とされている。その結果、構造断熱材本体６は、構造用面材３の外周部にある取付部１１の他に、この中央側取付部２３を利用しても釘や止めビス等の固定具１３で建物の柱梁１５等の構造物に打ち付けて固定できるようになっている。
また、構造断熱材本体６の外側断熱材４が欠落された部分Ａを充填すべく構造用面材３の中央側取付部２３に貼り付けられる充填用断熱材２６が具備されている。
充填用断熱材２６は、補充用断熱材８と同様に木質繊維断熱材、鉱物繊維断熱材、ガラス繊維断熱材、ビーズ法ポリスチレン断熱材、押し出しポリスチレン断熱材、硬質ウレタン断熱材などによって構成され、外側断熱材４の欠落された部分Ａを充填すべく構造用面材３の中央側取付部２３に貼り付けられる。
左右の外側断熱材４の欠落端部に、中央側取付部１１に向けて階段状に薄くなった階段状接合部２７が形成され、充填用断熱材２６の左右両端部に、外側断熱材４の階段状接合部２７に対応して内外方向の内側に向けて階段状に厚くなった階段状接合部２９が形成されている。
左右の外側断熱材４の階段状接合部２７は２段の階段状に形成され、階段状接合部２７は各外側断熱材４の上下全長に亘って形成されている。
充填用断熱材２６は、２００ｍｍ〜３００ｍｍの幅の上下方向に長い板状に形成され、内外方向の厚みが外側断熱材４の厚みと同一に形成されると共に、上下方向の長さが外側断熱材４の上下方向の長さと同一に形成されて、その左右両端部の上下全長に亘って階段状接合部２９が形成されている。
而して、左右の外側断熱材４の階段状接合部２７と充填用断熱材２６の階段状接合部２９とを接合させて、外側断熱材４の欠落された部分Ａ（左右の外側断熱材４間）を充填用断熱材２６で充填するように構成されている。その他の点は前記第１実施形態の場合と同様の構成である。
なお、第２実施形態の場合、構造用面材３の左右中央側に、外側断熱材４が欠落された中央側取付部２３が上下方向に設けられているが、これに代え、構造用面材３の上下中央側に、外側断熱材４が欠落された中央側取付部２３を左右方向に設けるようにしてもよい。また、構造用面材３の外面に配置される外側断熱材４の中央側に切り欠かれた開口部を設けることによって、構造用面材３の中央側に外側断熱材４が欠落された中央側取付部２３を設けるようにしてもよい。
なお、構造用面材３と外側断熱材４との間又は構造用面材３と補充用断熱材８との間には、断熱材の性質によっては透湿防水シートを事前に挟み込んでおくようにしてもよい。また、構造用面材３に対して透湿抵抗値の低い外側断熱材４又は補充用断熱材８を接着する場合は、透湿抵抗値が上がらないような接着方法を使用すればよい。
また、前記実施の形態では、外側断熱材４の階段状接合部１７は２段の階段状に形成され、これに対応して補充用断熱材８の階段状接合部１７も２段の階段状に形成されているが、これに代え、外側断熱材４の階段状接合部１７及び補充用断熱材８の階段状接合部１９を３段以上の階段状に形成するようにしてもよい。
また、第１補充用断熱材８ａの上下方向の長さは、構造断熱材本体６の上下方向の長さと同一に形成してもよいし、上下方向に並んだ複数の構造断熱材本体６に亘る長さに形成し、複数の構造断熱材本体６の取付部１１に亘って１つの第１補充用断熱材８ａを貼り付けるようにしてもよい。また、第１補充用断熱材８ａの上下方向の長さを構造断熱材本体６の上下方向の長さよりも短く形成し、１つの構造断熱材本体６の取付部１１に第１補充用断熱材８ａを上下方向に複数並べて貼り付けるようにしてもよい。
また、第２補充用断熱材８ｂの左右方向の長さは、構造断熱材本体６の左右方向の長さと同一に形成してもよいし、左右方向に並んだ複数の構造断熱材本体６に亘る長さに形成し、複数の構造断熱材本体６の取付部１１に亘って１つの第２補充用断熱材８ｂを貼り付けるようにしてもよい。また、第２補充用断熱材８ｂの左右方向の長さを構造断熱材本体６の左右方向の長さよりも短く形成し、１つの構造断熱材本体６の取付部１１に対して第２補充用断熱材８ｂを左右方向に複数並べて貼り付けるようにしてもよい。
また、前記第２実施形態では、外側断熱材４の欠落端部の階段状接合部２７は２段の階段状に形成され、これに対応して充填用断熱材２６の階段状接合部２９も２段の階段状に形成されているが、これに代え、外側断熱材４の欠落端部の階段状接合部２７及び充填用断熱材２６の階段状接合部２９を３段以上の階段状に形成するようにしてもよい。
【符号の説明】
【０００９】
１      構造断熱材
３      構造用面材
４      外側断熱材
６      構造断熱材本体
８      補充用断熱材
８ａ    第１補充用断熱材
８ｂ    第２補充用断熱材
１１    取付部
１７    階段状接合部
１９    階段状接合部
２３    央側取付部
２６    充填用断熱材
２７    階段状接合部
２９    階段状接合部
【図１】
0003173837.tif 000003
【図２】
0003173837.tif 000004
【図３】
0003173837.tif 000005
【図４】
0003173837.tif 000006
【図５】
0003173837.tif 000007
【図６】
0003173837.tif 000008